(57)【特許請求の範囲】
【請求項１】
外周面にリールを装着可能であり前記リールからの釣糸が通過可能な釣糸通路を内部に有する中通し竿であって、
前記釣糸通路に釣糸を導入可能な釣糸導入口を穂先側外周面に有する第１竿体と、
前記第１竿体の穂先側に振出形式で直接連結され、竿元側端部に配置された大径尻栓を有し、前記第１竿体から穂先側に引き出された状態で前記大径尻栓が前記釣糸導入口の穂先側に位置する第２竿体と、
前記第２竿体の穂先側に振出形式で連結され、竿元側端部に配置された小径尻栓を有する第３竿体とを備え、
前記大径尻栓は、軸方向に貫通するとともに竿元側ほど内径が大径となる貫通孔を有する筒状の本体部と、前記本体部内にはめ込まれ内径が前記第３竿体の竿元側内径より大きな内径を有する釣糸案内部材と、前記本体部の穂先側に前記釣糸案内部材に隣接して形成され前記小径尻栓を収納可能な収納部とを有し、
前記小径尻栓は、軸方向に貫通し釣糸が挿通可能であり竿元側ほど内径が大径になる貫通孔を有する本体部を有し、
前記小径尻栓は、前記本体部が前記収納部に収納可能なものであり、
前記小径尻栓の前記貫通孔の竿元側端部の内径は、収納された状態において、前記釣糸案内部材の内径とほぼ一致して連通するように形成されている
ことを特徴とする中通し竿。
【請求項２】
前記釣糸案内部材の内径は前記第３竿体の竿元側内径より大きく前記第３竿体の竿元側外径より小さい、請求項１に記載の中通し竿。
【請求項３】
前記釣糸案内部材は硬質セラミックリングである、請求項１または２に記載の中通し竿。
【請求項４】
前記小径尻栓は前記貫通孔にはめ込まれた硬質セラミックリングをさらに備えている、請求項３に記載の中通し竿。
【発明の詳細な説明】
【０００１】
【発明の属する技術分野】
本発明は釣竿、特に、リールからの釣糸を内部に挿通可能な釣糸通路を有する中通し竿に関する。
【０００２】
【従来の技術】
中通し竿は、内部に釣糸を挿通可能な釣糸通路を有する竿体と、竿体に脱着自在に固定されたリールと、前記リールの穂先側の竿体外周面に形成された釣糸導入口と、竿体の穂先側端部に形成されたトップガイドとを有している。このような中通し竿では、リールからの釣糸を釣糸導入口より釣糸通路に導入し、穂先側のトップガイドより外部に釣糸を導出する。
【０００３】
一般的に、このような中通し竿において釣糸を釣糸通路に挿通させるためには、例えば、金属ワイヤ製の糸通し具が用いられる。糸通し具の終端に釣糸を係止して、糸通し具の先端を釣糸導入口より釣糸通路に導入する。そして、トップガイドから糸通し具を引き抜いて釣糸を釣糸通路に挿通させる。
具体的には、複数の竿体が振出形式に連結された中通し竿において糸通し具を用いて釣糸を釣糸通路に挿通する場合（以下、「釣糸挿通操作」という）、図４に示すように、穂先竿５，第２中竿４を順次第１中竿３に収納し、釣糸導入口９が形成された元上竿２の穂先側に第１中竿３のみ引き延ばした状態で釣糸挿通操作を行う。ここで、穂先竿５の竿元側端部は第１中竿３の竿元側に配置された尻栓５０の収納部５１に収納される。そして、釣糸導入口９からのぞき込みながら、糸通し具２００の先端を尻栓５０の貫通孔を通して穂先竿５内に挿入する。
【０００４】
【発明が解決しようとする課題】
しかし、小さな釣糸導入口９から竿体内をのぞき込み、糸通し具２００を穂先竿５の釣糸通路に挿入するのは、初心者にとって困難な場合がある。特に、尻栓５０にはセラミックリング５２がはめ込まれているが、糸通し具２００を穂先竿５内に円滑に挿入させるためには、このセラミックリング５２の内径は穂先竿５の内径に合わせる必要があり小径に形成せざるを得ない。このように小径のセラミックリング５２に直接糸通し具２００を挿入するのは一定の技術を必要とする。
【０００５】
本発明の課題は、容易に釣糸挿入操作が行える中通し竿を提供することにある。
【０００６】
【課題を解決するための手段】
発明１にかかる中通し竿は、外周面にリールを装着可能でありリールからの釣糸が通過可能な釣糸通路を内部に有する中通し竿であって、釣糸通路に釣糸を導入可能な釣糸導入口を穂先側外周面に有する第１竿体と、第１竿体の穂先側に振出形式で直接連結され、竿元側端部に配置された大径尻栓を有し、第１竿体から穂先側に引き出された状態で大径尻栓が釣糸導入口の穂先側に位置する第２竿体と、第２竿体の穂先側に振出形式で連結され、竿元側端部に配置された小径尻栓を有する第３竿体とを備えている。そして、大径尻栓は、軸方向に貫通するとともに竿元側ほど内径が大径となる貫通孔を有する筒状の本体部と、本体部内にはめ込まれ内径が第３竿体の竿元側内径より大きな内径を有する釣糸案内部材と、本体部の穂先側に釣糸案内部材に隣接して形成され小径尻栓を収納可能な収納部とを有し、
小径尻栓は、軸方向に貫通し釣糸が挿通可能であり竿元側ほど内径が大径になる貫通孔を有する本体部を有し、前記小径尻栓は、前記本体部が前記収納部に収納可能なものであり、前記小径尻栓の前記貫通孔の竿元側端部の内径は、収納された状態において、前記釣糸案内部材の内径とほぼ一致して連通するように形成されている
ことを特徴とする
【０００７】
この中通し竿は、収納時には第３竿体，第２竿体をそれぞれ順次第１竿体内に収納してコンパクトな状態になり、使用時には第３竿体，第２竿体を第１竿体の穂先側に引き延ばして１本の竿体として用いられる。また、釣糸挿通操作時においては、第３竿体を第２竿体内に収納し第２竿体を第１竿体の穂先側に引き延ばして用いられる。具体的には、第２竿体はその竿元側端面が第１竿体の釣糸導入口の穂先側に位置するように連結され、第３竿体はその小径尻栓が第２竿体の大径尻栓の収納部に収納されるように第２竿体内に挿入される。
【０００８】
この中通し竿では、釣糸挿通操作時において、糸通し具を釣糸導入口から第２竿体の竿元側端部に配置された大径尻栓の本体部内の釣糸案内部材に向けて挿入する。そして、大径尻栓を穂先側に向けて挿通した糸通し具は収納部内の小径尻栓内に挿入され、さらに第３竿体の竿体内へ挿入される。ここで、釣糸案内部材は第３竿体の竿元側内径より大きな内径を有しており糸通し具を挿入しやすく、また、釣糸案内部材に挿入された糸通し具は、小径尻栓の貫通孔に案内されて釣糸案内部材に比べてさらに小径の第３竿体内に容易に挿入される。また、釣糸導入口より挿入する糸通し具を、竿体の軸方向に平行に近づくように寝せながら釣糸挿通操作を行うことができ、釣糸挿通操作がより容易になる。
【０００９】
発明２にかかる中通し竿は、発明１の中通し竿であって、釣糸案内部材の内径は第３竿体の竿元側内径より大きく第３竿体の竿元側外径より小さい。
この場合には、釣糸案内部材の内径が第３竿体の竿元側外径より小さく、釣糸案内部材と第３竿体との間に不要な段差が生じにくいので、釣糸挿通操作がより容易になる。
【００１０】
発明３にかかる中通し竿は、発明１または２の中通し竿であって、釣糸案内部材は硬質セラミックリングである。
この場合には、硬質セラミックリングが、中通し竿使用時において釣糸が尻栓を損傷するのを抑える。また、糸通し具が貫通孔を通過する際に尻栓を傷付けるのも防止できる。
【００１１】
発明４にかかる中通し竿は、発明３の中通し竿であって、小径尻栓は貫通孔にはめ込まれた硬質セラミックリングをさらに備えている。
【００１２】
【発明の実施の形態】
［第１実施形態］
以下、本発明の第１実施形態について図面を参照しつつ説明する。
本発明の第１実施形態を採用した中通し竿は、図１に示すように、元竿１と、元竿１の穂先側に連結された元上竿２と元上竿２の穂先側に連結された第１中竿３及び第２中竿４と、第２中竿４の穂先側に連結された穂先竿５とを有している。これら元竿１〜穂先竿５は炭素繊維またはガラス繊維等に合成樹脂を含浸させたプリプレグから形成される先細り筒状部材であって、内部に釣糸通路１００を有する（図２等参照）。そして、元上竿２〜穂先竿５は穂先側から順次竿元側の竿体の内部に挿入され出し入れ自在になっており、いわゆる振出形式で連結されている。
【００１３】
元竿１は外周面に形成されリール７を脱着自在に装着可能なリールシート８を有し、竿元側端部には元竿尻栓１０が脱着自在に装着されている。また、元上竿２の穂先側外周面にはリール７からの釣糸Ｌを竿体内部に導入する釣糸導入口９が形成されており、さらに、釣糸導入口９を覆うように配置された釣糸導入ガイドＧが固定されている。また、釣糸導入口９の竿元側周縁部にはセラミック製のガイド１１（図２参照）がはめ込まれている。この元上竿２の釣糸通路１００は釣糸導入口９の穂先側において段が形成され、穂先側に比べて竿元側が大径に形成されている。一方、穂先竿５の穂先側端部にはトップガイド６が取り付けられており、リール７からの釣糸Ｌは釣糸導入ガイドＧ及び釣糸導入口９を通り釣糸通路１００に導かれて、穂先側のトップガイド６より外部へ導かれる。
【００１４】
図２に示すように、釣糸導入ガイドＧは、釣糸導入口９の穂先側において元上竿２に固定される前固定部１２と、釣糸導入口９の竿元側において元上竿２に固定される後固定部１３と、釣糸導入口９を跨ぎながら前固定部１２と後固定部１３とを連結しかつ釣糸導入口９上空において孔部１４ａが形成された連結部１４と、連結部１４の竿元側に設けられた釣糸案内リング１５とを有している。
【００１５】
前固定部１２，後固定部１３，連結部１４は、チタン，アルミニウム，スチール等の金属から一体形成された部材であって、例えば、前固定部１２及び後固定部１３は巻糸（図示せず）等によって元上竿２の所定の位置に固定されている。連結部１４は前固定部１２からなだらかに隆起しながら釣糸導入口９を跨ぎ、傾斜しながら後固定部１３へ至っている。この連結部１４は全体としてアーチ状ブリッジ型である。この連結部１４の釣糸導入口９上には孔１４ａが形成されており、また、後固定部１３へ至る傾斜した部分には孔が設けられ、硬質セラミック製の釣糸案内リング１５がはめ込まれて固定されている。この釣糸導入ガイドＧの連結部１４の傾斜部分が後固定部１３へ折れ曲がり元上竿２へ当接する折曲部分１４ｂは、釣糸導入ガイドＧの他の部分より肉厚に形成されている。
【００１６】
図２に示すように、第１中竿３は内部に釣糸通路１００を有する筒状部材であって、元上竿２の穂先側に振出形式で連結されている。そして、第１中竿３の竿元側端部には大径尻栓２０がはめ込まれている。大径尻栓２０は、第１中竿３の竿元側端部に形成された切欠にはめ込まれ固定された略筒状の固定部２１と、固定部２１の内側にビス等で固定され軸方向に貫通した貫通孔を有する筒状の本体部２２と、本体部２２内にはめ込まれた第１セラミックリング（釣糸案内部材）２３とを有している。本体部２２は合成ゴム等の弾性部材からなり、その筒状内部の穂先側部分は穂先竿５の竿元側を収納可能な収納部２２ａとなっている。一方、筒状内部の竿元側部分は徐々に竿元側ほど内径が大径になるように湾曲して形成されている。また、第１セラミックリング２３は本体部２２の内部に接着剤等で接着され固定されたリング状部材である。その内径は本体部２２の内径よりやや小径であって、かつ後述する穂先竿５の竿元側内径より大径で穂先竿５の竿元側外径より小径に形成されている。
【００１７】
なお、この大径尻栓２０は第１中竿３に固定されたものである。従って、後述する釣糸挿通操作時や魚釣りを行う際の状態である第１中竿３を元上竿２の穂先側に延伸させて固定させた状態においては、図２に示すように、大径尻栓２０は釣糸導入口９の穂先側付近に位置する。一方、第１中竿３を元上竿２内に挿入して収納する際には、第１中竿３とともに元上竿２の内部を竿元方向に移動して、大径尻栓２０は釣糸導入口９の竿元側へ位置することになる。
【００１８】
穂先竿５は、図２に示すように、内部に釣糸通路１００を有する筒状部材であって、第２中竿４の穂先側に振出形式で連結されている。そして、穂先竿５の竿元側端部には小径尻栓３０がはめ込まれている。小径尻栓３０は、穂先竿５の竿元側端部に形成された切欠にはめ込まれ固定された、軸方向に貫通した貫通孔を有する筒状の本体部３１と、本体部３１内にはめ込まれた第２セラミックリング３２とを有している。本体部３１は合成ゴム等の弾性部材からなり、前述の大径尻栓２０の収納部２２ａに収納可能になっている。また、その筒状内部の貫通孔は徐々に竿元側ほど内径が大径になるように湾曲して形成されている。そして、その竿元側端部の内径は、前述の第１セラミックリング２３の内径とほぼ一致するように形成されている。また、第２セラミックリング３２は本体部３１の穂先側内部に接着剤等で接着され固定されたリング状部材である。その内径は本体部３１の内径よりやや小径である。
【００１９】
この中通し竿では、金属製ワイヤ等からなる糸通し具２００を用いて、以下のように釣糸挿通操作を行う。図２に示すように、まず、穂先竿５及び第２中竿４を第１中竿３内に収納し、第１中竿３を元上竿２の穂先側に延伸させる。即ち、第１中竿３の竿元側端部を釣糸導入口９の穂先側に位置させ、穂先竿５の竿元側端部の小径尻栓３０を第１中竿３の大径尻栓２０の収納部２２ａ内に収納する。続いて、糸通し具２００の竿元側の釣糸係止部にリール７からの釣糸Ｌを係止し、釣糸案内リング１５を挿通させて釣糸導入口９から糸通し具２００の先端部を挿入する。そして、糸通し具２００を大径尻栓２０の本体部２２に向けて挿通し、第１セラミックリング２３を挿通させて穂先側にさらに挿入する。こうして、糸通し具２００は収納部２２ａ内の小径尻栓３０内に挿入され、さらに穂先竿５の竿体内へ挿入される。
【００２０】
ここで、第１セラミックリング２３は穂先竿５の竿元側内径より大きな内径を有しており糸通し具２００を挿入しやすく、また、第１セラミックリング２３に挿入された糸通し具２００は、小径尻栓３０の本体部３１の貫通孔に案内されて第１セラミックリング２３に比べてさらに小径の第２セラミックリング３２及び穂先竿５内に容易に挿入される。
【００２１】
［第２実施形態］
以下、本発明の第２実施形態について図面を参照しつつ説明する。
本発明の第２実施形態を採用した中通し竿は、第１実施形態と同様に、元竿１と、元竿１の穂先側に連結された元上竿２と元上竿２の穂先側に連結された第１中竿３及び第２中竿４と、第２中竿４の穂先側に連結された穂先竿５とを有している。そして、これらの竿体はいわゆる振出形式で連結されている。
【００２２】
図３に示すように、第１中竿３は内部に釣糸通路１００を有する筒状部材であって、元上竿２の穂先側に振出形式で連結されている。そして、第１中竿３の竿元側端部には大径尻栓２０がはめ込まれている。大径尻栓２０は、第１中竿３の竿元側端部に形成された切欠にはめ込まれ固定された略筒状の固定部２１と、固定部２１の内側にビス等で固定され軸方向に貫通した貫通孔を有する筒状の本体部２２と、本体部２２内にはめ込まれた第１セラミックリング（釣糸案内部材）２３とを有している。本体部２２は合成ゴム等の弾性部材からなり、その筒状内部の穂先側部分は穂先竿５の竿元側を収納可能な収納部２２ａとなっている。一方、筒状内部の竿元側部分は徐々に竿元側ほど内径が大径になるように湾曲して形成されている。また、第１セラミックリング２３は本体部２２の内部に接着剤等で接着され固定されたリング状部材である。その内径は本体部２２の内径よりやや小径であって、かつ後述する穂先竿５の竿元側内径より大径で穂先竿５の竿元側外径より小径に形成されている。
【００２３】
第２中竿４は、図３に示すように、内部に釣糸通路１００を有する筒状部材であって、第１中竿３の穂先側に振出形式で連結されている。そして、第２中竿４の竿元側端部には小径尻栓４０がはめ込まれている。小径尻栓４０は、第２中竿４の竿元側端部にはめ込まれ固定された、軸方向に貫通した貫通孔を有する筒状の本体部４１と、本体部４１内にはめ込まれた第２セラミックリング４２とを有している。本体部４１は合成ゴム等の弾性部材からなり、前述の大径尻栓２０の収納部２２ａに収納可能になっている。本体部４１の貫通孔の穂先側は、他の部分の比べて内径がやや大径に形成され穂先竿５の竿元側端部が収納可能な収納部４１ａとなっている。また、本体部４１内部の貫通孔は第２セラミックリング４２から徐々に竿元側ほど内径が大径になるように湾曲して形成されている。そして、その竿元側端部の内径は、前述の第１セラミックリング２３の内径とほぼ一致するように形成されている。また、第２セラミックリング４２は本体部４１の貫通孔の軸方向中央付近内部に接着剤等で接着され固定されたリング状部材である。
【００２４】
この中通し竿では、金属製ワイヤ等からなる糸通し具を用いて、第１実施形態と同様に、以下のように釣糸挿通操作を行う。図３に示すように、まず、穂先竿５及び第２中竿４を第１中竿３内に収納し、第１中竿３を元上竿２の穂先側に延伸させる。即ち、第１中竿３の竿元側端部を釣糸導入口９の穂先側に位置させ、穂先竿５の竿元側端部を第２中竿４の小径尻栓４０の収納部４１ａに収納し、かつ第２中竿４の小径尻栓４０を大径尻栓２０の収納部２２ａ内に収納する。続いて、糸通し具の竿元側の釣糸係止部にリール７からの釣糸Ｌを係止し、釣糸案内リング１５を挿通させて釣糸導入口９から糸通し具の先端部を挿入する。そして、糸通し具を大径尻栓２０の本体部２２に向けて挿通し、第１セラミックリング２３を挿通させて穂先側にさらに挿入する。こうして、糸通し具は収納部２２ａ内の小径尻栓４０内に挿入され、本体部４１に誘導されて穂先竿５の竿体内へ挿入される。
【００２５】
ここで、第１セラミックリング２３は穂先竿５の竿元側内径より大きな内径を有しており糸通し具を挿入しやすく、また、第１セラミックリング２３に挿入された糸通し具は、小径尻栓４０の本体部４１の貫通孔に案内されて第１セラミックリング２３に比べてさらに小径の第２セラミックリング４２及び穂先竿５内に容易に挿入される。
【００２６】
［他の実施形態］
（ａ）中通し竿の竿体の数は上記実施の形態に限定されるものではなく、任意の数の竿体を用いることができる。また、元上竿に釣糸導入口を設けるものに限定されない。
（ｂ）尻栓２０には特に収納部２２ａを設けなくともよい。
【００２７】
【発明の効果】
本発明に係る中通し竿によれば、容易に釣糸挿入操作が行うことができる。
【図面の簡単な説明】
【図１】本発明の第１実施形態を採用した中通し竿の全体図。
【図２】図１の釣糸導入口付近の拡大断面図。
【図３】本発明の第２実施形態を採用した中通し竿の全体図。
【図４】従来の中通し竿の釣糸導入口付近の拡大断面図。
【符号の説明】
１ 元竿
２ 元上竿
３ 第１中竿
４ 第２中竿
５ 穂先竿
９ 釣糸導入口
Ｇ 釣糸導入ガイド
２０ 大径尻栓
２２ 本体部
２２ａ 収納部
２３ 第１セラミックリング
３０，４０ 小径尻栓
３１，４１ 本体部
３２，４２ 第２セラミックリング
【図１】
0004165958.tif 000002
【図２】
0004165958.tif 000003
【図３】
0004165958.tif 000004
【図４】
0004165958.tif 000005